(57)【要約】【目的】洗濯物を雨天などの天候に応じて安全に干すことを目的とする。【構成】洗濯物を所定の間隔で覆う防塵牲と通風性を有したハンガー部に吊り下げることにより天候に関らず安全に乾燥することができるように構成したハンガーガード。【選択図】    図１
2006255362.tif 000002
【特許請求の範囲】
【請求項１】
洗濯物を吊下げるハンガー部とこのハンガー部の周囲を所定の間隔で覆う防塵牲と通風性を有しかつ上記ハンガー部から脱着可能に構成した被覆部材を設けたことを特徴としたハンガーガード。
【請求項２】
洗濯物を吊下げるハンガー部とこのハンガー部の周囲を所定の間隔で覆う防塵牲と通風性を有し外部から上記洗濯物が透視できない素材でかつ上記ハンガー部から任意に脱着可能に構成した被覆部材を設けたことを特徴としたハンガーガード。
【請求項３】
洗濯物を吊下げるハンガー部とその周囲を所定の間隔で覆う防塵牲と通風性を有した被覆部材の裏面に光半導体牲を有する酸化チタンを塗布またはその皮膜を形成したことを特徴としたハンガーガード。
【請求項４】
洗濯物を吊下げるハンガー部とその周囲を所定の間隔で覆う防塵牲と通風性を有し外部から上記洗濯物が透視できない素材でかつ上記ハンガー部から任意に脱着可能に構成されたメッシュ部材を設けた被覆部材の裏面に光半導体牲を有する酸化チタンを塗布またはその被膜を形成したことを特徴としたハンガーガード。
【発明の詳細な説明】
【発明の詳細な説明】
【産業上の利用分野】
【０００１】本発明は洗濯物を晴雨の如何に関らず衛生的かつ安全に乾燥するハンガーガードに関するものである。
【背景技術】
【０００２】従来、洗濯物の自然乾燥は濡れた衣服をハンガー等に吊り下げてベランダや物干しで天日、風により乾燥していた。
しかし、ベランダ、物干し場は風が吹くと雨が洗濯物に付きやすくさらに都会では雨に汚れが混入しているの乾くと染みになりにくい。雨天時に室内に干したときは浮遊バクテリア、細菌が衣服に付着して嫌な異臭が残る。
さらに、最近は女性の乾燥中の下着が盗難に遭つたりこれがもとで犯罪に巻き込まれる事件が多発している。
【発明が解決しようとする課題】
【０００３】この発明は上記の問題を解決するためになされたものでハンガー部の周りに乾燥、非透視エリアを設けることにより洗濯物を効率よく安全（防犯上）に乾燥するハンガーガードを提供することにある。
【課題を解決するための手段】
【０００４】この発明のハンガーガードは洗濯物を吊下げるハンガー部とその周囲を所定間隔で覆う防塵牲と通風性、非透視性を有した被覆部材を設けることにより雨天でも洗濯物を衛生的に安全に乾燥できる。
さらに、裏面に酸化チタンを含有、塗布したものでは光半導体の作用で周囲の空気がイオン化され洗濯物が消毒されるので雨天時の異臭が付くのを予防できる。
【実施例】
【０００５】本発明を実施例により詳細に説明する。
本発明のハンガーガードはハンガーを吊り下げる吊り下げ部とその周囲を覆う被覆部材から構成される。
第１図はこの発明のハンガーガード１を示す。
この発明のハンガーガード１は中央部にハンガー２０を吊り下げるハンガー部、以下これを吊り下げ部材１２という、がありこの周囲にこの吊り下げ部材１２を支える枠部材１０が設けられる。
枠部材１０には被覆部材３０を取り付ける取り付け部材１１が設けられる。上記吊り下げ部材１２は上記ハンガー２０を所定の間隔つまり乾燥に適した間隔でとりつける目的がある。
上記吊り下げ部材１２、枠部材１０は金属、合成樹脂を使用し曲げ加工、溶接、接着剤等で固定する。枠部材１０の形状は角形、円形いずれの形状でもよい。
取り付け部材１１はスナップ、ジャンバー、クリップを使用すればよい。被覆部材３０は金属、合成樹脂で構成しその表面には風が通過できる孔、きりこみが設けられる。
さらに、合成樹脂の成型時に酸化チタンを含有したものや上記合成樹脂や金属の裏面塗布し光半導体の作用で周囲の空気がイオン化消毒するようにしてもよい。
上記合成樹脂に不透明、非光透過性の材質で作ったり絵を描いたりして内部を見ることが出来ないようにしてもよい。この発明のハンガーガード１は初めに吊り部材２１でベランダ物干し竿などに取り付け吊り下げ部材１２にはハンガーを取り付ける。
被覆部材３０は初めから取り付けても良いしハンガーを取り付けてから装着してもよい。
【発明の効果】
【０００６】本発明のハンガーガードを使用するとハンガーの周りに乾燥かつ非透視エリアが設けられているので洗濯物が効率よく安全（防犯上）に乾燥するできる。さらに酸化チタンを有した部材を使用すれば雨天時の細菌、カビなどの増殖が抑制されるので医療関係にも使用できる。洗濯物を効率よくハンガーガードを提供することにある。
【図１】
2006255362.tif 000003
【手続補正書】
【提出日】平成17年7月6日(2005.7.6)
【手続補正１】
【補正対象書類名】明細書
【補正対象項目名】全文
【補正方法】変更
【補正の内容】
【発明の詳細な説明】
【技術分野】
【０００１】本発明は洗濯物を晴雨の如何に関らず衛生的かつ安全に乾燥するハンガーガードに関するものである。
【背景技術】
【０００２】従来、洗濯物の自然乾燥は濡れた衣服をハンガー等に吊り下げてベランダや物干しで天日、風により乾燥していた。
しかし、ベランダ、物干し場は風が吹くと雨が洗濯物に付きやすくさらに都会では雨に汚れが混入しているの乾くと染みになりにくい。雨天時に室内に干したときは浮遊バクテリア、細菌が衣服に付着して嫌な異臭が残る。
さらに、最近は女性の乾燥中の下着が盗難に遭つたりこれがもとで犯罪に巻き込まれる事件が多発している。
【発明が解決しようとする課題】
【０００３】この発明は上記の問題を解決するためになされたものでハンガー部の周りに乾燥、非透視エリアを設けることにより洗濯物を効率よく安全（防犯上）に乾燥するハンガーガードを提供することにある。
【課題を解決するための手段】
【０００４】この発明のハンガーガードは洗濯物を吊下げるハンガー部とその周囲を所定の間隔で覆う防塵牲と通風性、非透視性を有した被覆部材を設けることにより雨天でも洗濯物を衛生的に安全に乾燥できる。
さらに、裏面に酸化チタンを含有、塗布したものでは光半導体の作用で周囲の空気がイオン化され洗濯物が消毒されるので雨天時の異臭が付くのを予防できる。
【実施例】
【０００５】本発明を実施例により詳細に説明する。
本発明のハンガーガードはハンガーを吊り下げる吊り下げ部とその周囲を覆う被覆部材から構成される。
第１図はこの発明のハンガーガード１を示す。
この発明のハンガーガード１は中央部にハンガー２０を吊り下げるハンガー部、以下これを吊り下げ部材１２という、がありこの周囲にこの吊り下げ部材１２を支える枠部材１０が設けられる。
枠部材１０には被覆部材３０を取り付ける取り付け部材１１が設けられる。上記吊り下げ部材１２は上記ハンガー２０を所定の間隔つまり乾燥に適した間隔でとりつける目的がある。
上記吊り下げ部材１２、枠部材１０は金属、合成樹脂を使用し曲げ加工、溶接、接着剤等で固定する。枠部材１０の形状は角形、円形いずれの形状でもよい。取り付け部材１１はスナップ、ジャンバー、クリップを使用すればよい。被覆部材３０は金属、合成樹脂で構成しその表面には風が通過できる孔、きりこみが設けられる。さらに、合成樹脂の成型時に酸化チタンを含有したものや上記合成樹脂や金属の裏面塗布し光半導体の作用で周囲の空気がイオン化消毒するようにしてもよい。
上記合成樹脂に不透明、非光透過性の材質で作ったり絵を描いたりして内部を見ることが出来ないようにしてもよい。この発明のハンガ−ガード１は初めに吊り金でベランダ物干し竿などに取り付け吊り下げ部材１２にはハンガーを取り付ける。
被覆部材３０は初めから取り付けても良いしハンガーを取り付けてから装着してもよい。
【発明の効果】
【０００６】本発明のハンガーガードを使用するとハンガーの周りに乾燥、非透視エリアが設けられているので洗濯物が効率よく安全（防犯上）に乾燥するできる。
さらに酸化チタンを有した部材を使用すれば雨天時の細菌、カビなどの増殖が抑制されるので医療関係にも使用できるハンガーガードを提供することにある。
【図面の簡単な説明】
【０００７】
【図１】平面図
【符号の説明】
【０００８】ハンガーガード１、枠部材１０、取り付け部材１１、吊り下げ部材１２、ハンガー２０  被覆部材３０